(57)【特許請求の範囲】
【請求項１】
帯状をなす基材シートの一方の面に接着剤層が積層された捕虫シートと、この捕虫シートを巻回する筒状体と、筒状体の軸線方向両側にそれぞれ設けられた一対の側板と、巻回された捕虫シートの短手方向両端側に各側板がそれぞれ位置するように当該側板を固定する固定手段とを備え、
前記側板は、少なくとも一方の面に非接着処理が施されていることを特徴とする捕虫材。
【請求項２】
前記固定手段は、筒状体の内周面側に嵌め込み可能な嵌合部と、この嵌合部に連設されて側板を固定可能な押さえ部とを備えていることを特徴とする請求項１記載の捕虫材。
【発明の詳細な説明】
【技術分野】
【０００１】
本発明は、捕虫材に係り、更に詳しくは、捕虫シートから接着剤が染み出しても他のものに接着することを防止することができる捕虫材に関する。
【背景技術】
【０００２】
従来より、例えば、食品や粘着シート、精密機械等の製品に虫が混入することを防止するために捕虫器が利用されている。このような捕虫器にあっては、図８に示されるような捕虫材５０（特許文献１参照）を用いたタイプのものがあり、この捕虫材５０は、一方の面に接着剤層を有する捕虫シート５１と、この捕虫シート５１を巻回する筒状体５２と備えている。
【０００３】
【特許文献１】特開平８−１７２９９９号公報
【発明の開示】
【発明が解決しようとする課題】
【０００４】
しかしながら、このような捕虫材５０では、筒状体５２に巻回された状態で捕虫シート５１の短手方向両側から接着剤が染み出るという不都合がある。この染み出しを防止すべく、捕虫シート５１の短手方向両端に沿う一部領域に接着剤層を設けない処置が採られるも、捕虫シート５１の巻圧が高くなったり、高温下で放置されたりすると、接着剤の染み出しが発生し易くなる。更に、前記巻圧をできるだけ低く設定したり、高温とならないように温度管理したとしても、図８（Ａ）に示されるように横置きした場合、捕虫材５０自体の重さにより同図中点線で囲んだ領域の接着剤が染み出してしまう。また、図８（Ｂ）に示されるように縦置きした場合、接着剤の自重により捕虫シート５１の同図中下端側に接着剤が染み出るという不都合を招来する。このため、載置面や、捕虫材５０を取り扱う作業者の手や衣服に接着剤が付着し易くなる、という不都合を生じる。
また、このような捕虫シート５１に用いられる接着剤は、被着体に対して接着剤が転移し易い性質を有し、付着すると取り除くことが困難であり、洗浄するために特殊な洗剤を必要とするばかりでなく、多大な労力が必要になる、という不都合がある。
【０００５】
［発明の目的］
本発明は、このような不都合に着目して案出されたものであり、その目的は、捕虫シートの短手方向両端から接着剤が染み出して他のものに付着することを回避することができる捕虫材を提供することにある。
【課題を解決するための手段】
【０００６】
前記目的を達成するため、本発明は、帯状をなす基材シートの一方の面に接着剤層が積層された捕虫シートと、この捕虫シートを巻回する筒状体と、筒状体の軸線方向両側にそれぞれ設けられた一対の側板と、巻回された捕虫シートの短手方向両端側に各側板がそれぞれ位置するように当該側板を固定する固定手段とを備え、
前記側板は、少なくとも一方の面に非接着処理が施される、という構成を採っている。
【０００７】
本発明において、前記固定手段は、筒状体の内周面側に嵌め込み可能な嵌合部と、この嵌合部に連設されて側板を固定可能な押さえ部とを備える、という構成が好ましくは採用される。
【０００８】
更に、前記側板は、筒状体に巻回された捕虫シートの端面が外方にはみ出ることのない面形状に形成されている、という構成を採ってもよい。
【発明の効果】
【００１０】
本発明によれば、巻回された捕虫シートの短手方向両端側に固定手段を介して各側板がそれぞれ固定されるので、当該側板により捕虫シートにおける接着剤の染み出しが生じても他のものに付着することを防止することができる。これにより、捕虫シートの巻圧や保管温度の調整、管理の負担を軽減することができる。また、捕虫材を取り扱う作業者に接着剤が付着してしまうことを防止でき、洗浄等に要する労力をなくすことができる他、作業性を向上することが可能となる。
【００１１】
また、固定手段が嵌合部及び押さえ部を備えているので、捕虫シートの短手方向両端側に各側板をしっかりと固定できるばかりでなく、固定手段を筒状体に簡単に着脱でき、当該固定手段の回収及び再利用を容易に行うことが可能となる。
【００１２】
更に、筒状体に巻回された捕虫シートの端面が外方にはみ出ることのない面形状に側板を形成した場合、捕虫シートを横向きとしてフロア面等に載置しても、当該フロア面から捕虫シートを離した状態とすることができる。これにより、横置きの捕虫材の下方の接着剤層に集中的に外力が付与されることを抑制でき、接着剤の染み出しをより良く防止することが可能となる。
【００１３】
また、側板の少なくとも一方の面に非接着処理を施した場合、側板と捕虫シートの短手方向両端側とが接着することを回避でき、捕虫シートの巻き出し抵抗を小さく維持することが可能となる。
【発明を実施するための最良の形態】
【００１４】
以下、本発明の好ましい実施の形態について図面を参照しながら説明する。
なお、本明細書の方向若しくは位置を示す用語は、特に明示しない限り、図１を正面から見た場合を基準とし、「前」とは同図中手前側を示す一方、「後」とは、同奥行き側について用いられ、「左」「右」も同様に正面から見た場合を基準とする。
【００１５】
図１には、実施形態に係る捕虫材が適用された捕虫器の概略正面図が示されている。この図において、捕虫器１０は、虫を誘引する誘引手段１１と、この誘引手段１１の近傍に繰り出される捕虫シート１２を有する捕虫材１３と、捕虫シート１２の繰り出しを許容し保持可能に設けられた保持手段１５とを備えて構成されている。
【００１６】
前記誘引手段１１は、図示しない電力源に接続される蛍光灯１７により構成されている。蛍光灯１７は、脚部材１９から立設された背面フレーム２０に支持されている。なお、蛍光灯１７は、虫を誘引可能な波長の光、例えば紫外線を発光するものが好ましい。
【００１７】
前記捕虫シート１２は、ロール状に巻回された状態から誘引手段１１の右側近傍を通過するように下方に繰り出される。その後、捕虫シート１２は、誘引手段１１の下方において、前記背面フレーム２０に支持アーム２１により支持された案内部材としての左右一対のローラ２２を介して左方向に案内された後、誘引手段１１の左側を通過するように上方に導かれるようになっている。捕虫シート１２は、図２、図３（Ａ）及び（Ｂ）に示されるように、帯状をなす基材シート１２Ａと、この基材シート１２Ａの一方の面（図３（Ｂ）中上面）に積層された接着剤層１２Ｂとからなる２層構造になっており、この接着剤層１２Ｂ側に剥離シート１２Ｃが仮着されている。基材シート１２Ａの短手方向両端、すなわち、図３中左右両端に沿う位置には、前記接着剤層１２Ｂを積層しない第１の非接着領域１２Ｄがそれぞれ設けられている。
【００１８】
ここで、図４（Ａ）及び（Ｂ）に示されるように、捕虫シート１２のリード端領域１２ａ及び最終端領域１２ｂには第２の非接着領域１２Ｅがそれぞれ設けられている。各非接着領域１２Ｅは、リード端、最終端から捕虫シート１２の所定長さに亘って、図４（Ａ）中上面側全体に接着剤層１２Ｂを積層しないことにより形成されている。つまり、各第２の非接着領域１２Ｅでは、剥離シート１２Ｃを取り除くと、基材シート１２Ａの表面だけが表出することとなる。
【００１９】
前記捕虫材１３は、図２及び図５に示されるように、前記捕虫シート１２と、この捕虫シート１２を巻回する筒状体２５と、筒状体２５の軸線方向両側すなわち図５中左右両側にそれぞれ設けられた一対の側板２６と、各側板２６を固定するための一対の固定手段２７とを備えて構成されている。このように構成される捕虫材１３は、捕虫シート１２から染み出した接着剤が他のものに付着しないようなパッケージとして取り扱われる。
【００２０】
前記各側板２６は、略ドーナツ盤状にそれぞれ形成されている。各側板２６の直径寸法は、筒状体２５に巻回された使用前の捕虫シート１２の直径寸法より大きく設定され、捕虫シート１２の端面が外方にはみ出ることのない面形状にそれぞれ形成されている。各側板２６は、その内面が捕虫シート１２の短手方向両端に接するように設けられている。また、各側板２６の内面には、フッ素加工等の非接着処理が施されており、捕虫シート１２の短手方向両側から前記接着剤層１２Ｂの接着剤が染み出ても、当該接着剤とは接着しないようになっている。
【００２１】
前記各固定手段２７は、筒状体２５の軸方向両側における内周面側に嵌め込み可能な嵌合部２９と、この嵌合部２９の外側端部に連設されて側板２６の外面に添設して当該側板２６の脱落を防止する押さえ部３０とを備えている。
【００２２】
前記嵌合部２９は、側板２６及び筒状体２５の各内周面に沿う円筒状の挿入部２９Ａと、この挿入部２９Ａの内部に設けられて後述する支持軸３２が挿通される丸穴２９Ｃが形成された内壁２９Ｂとを備えている。
【００２３】
前記保持手段１５は、図１に示されるように、前記筒状体２５と側板２６と固定手段２７とに挿通可能に設けられ、パッケージ状態のまま捕虫材１３を支持する支持軸３２と、この支持軸３２の近傍に設けられた剥離手段３３及び回収手段３４とを備えて構成されている。
【００２４】
前記支持軸３２は、背面フレーム２０の上方に位置するプレート３５に支持され、前記丸穴２９Ｃに挿通可能に設けられている。支持軸３２の先端側には、上端側が支持軸３２の上部位置より突出するストッパ３６が設けられている。ストッパ３６は、上下幅が丸穴２９Ｃの内径寸法より小さく設定され、当該丸穴２９Ｃ内を挿通可能に設けられるとともに、支持軸３２を丸穴２９Ｃ内に挿通したときに、図５中左側の固定手段２７の内壁２９Ｂに当接して筒状体２５の脱落を防止するようになっている。
【００２５】
前記支持軸３２の他端側には、移動規制部材３８が設けられている。図５において、移動規制部材３８は、左端が固定手段２７の内壁２９Ｂに当接し、右端がプレート３５に当接するように設けられており、側板２６又は押さえ部材３０とプレート３５との間に隙間Ｓを確保するようになっている。
【００２６】
前記剥離手段３３は、支持軸３２から繰り出された捕虫シート１２を下方に導くガイドローラ３９と、剥離シート１２Ｃを上方へ導く剥離用ローラ４０とを備えている。剥離用ローラ４０により剥離された剥離シート１２Ｃは、上ガイドローラ４２を経由して回収手段３４へ案内される。また、剥離シート１２Ｃが剥離された捕虫シート１２は、未使用の接着剤層１２Ｂを表出しつつ誘引手段１１を囲むように各ローラ２２、４３を経由して回収手段３４へ案内される。
【００２７】
前記回収手段３４は、プレート３５に支持された単一の巻取軸３４Ａと、当該巻取軸３４Ａに取り付けられて巻取紙管３４Ｃを支持する固定部材３４Ｂとにより構成されている。この巻取軸３４Ａは、プレート３５の後方に取り付けられた操作ハンドル４４を回すことで基材シート１２Ａ及び剥離シート１２Ｃの巻き取りを行えるようになっている。
【００２８】
前記捕虫器１０は、図１に示される状態から、蛍光灯１７を発光させると、その光は、基材シート１２Ａ及び接着剤層１２Ｂを透過して外部に発せられる。すると、その光に誘引されて虫が蛍光灯１７に近付くように飛来し、接着剤層１２Ｂに接触した虫が当該接着剤層１２Ｂに接着されて捕獲される。
【００２９】
そして、一定期間の捕虫が完了すると、操作ハンドル４４を矢印Ｒ１方向に回転操作する。これにより、巻取軸３４Ａが回転して捕虫材１３が引っ張れてＲ２方向に回転し、捕虫シート１２がガイドローラ３９によって下方へ、剥離シート１２Ｃが剥離用ローラ４０によって上方へ繰り出され、未使用の接着剤層１２Ｂが誘引手段１１を囲むように繰り出される。
【００３０】
以上のように、捕虫器１０において、操作ハンドル４４を回転することにより、剥離シート１２Ｃの剥離及び回収と、誘引手段１１周辺への未使用の接着剤層１２Ｂの繰り出しと、使用済みの基材シート１２Ａの回収とを同時に行えるようになる。
【００３１】
従って、このような実施形態によれば、図６（Ａ）に示されるように捕虫材１３を横置きしたり、同図（Ｂ）のように縦置きしても、側板２６により染み出した接着剤が他のものに付着すことを防止することができる。特に、横置きした場合、ロール状の捕虫シート１２より側板２６の直径寸法が大きいので、載置面から捕虫シート１２を離すことができる。これにより、図６（Ａ）中、筒状体２５より下方の接着剤層１２Ｂに集中的に外力が加わることを抑制でき、接着剤の染み出し自体をより効果的に防止することができる。
【００３２】
また、固定手段２７が筒状体２５に嵌め込み可能に設けられるので、当該筒状体２５に固定手段２７を容易に着脱することができ、これにより、固定手段２７をリサイクルする方法を容易に行うことが可能となる。具体的には、捕虫シート１２の使用を終えた捕虫材１３から固定手段２７を取り外すステップと、取り外した固定手段２７を回収するステップと、他の捕虫材１３の側板２６を取り付ける際に回収した固定手段を再装着するステップとを行うことができる。
【００３３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３４】
例えば、側板２６の形状は、巻回された捕虫シート１２の端面が外方にはみ出ることのない面形状である限りにおいて、種々の変更が可能であり、図７（Ａ）に示されるように方形状にしたり、同図（Ｂ）に示されるように、角部を面取りした三角形状としたりしてもよい。
【００３５】
また、各側板２６の非接着処理は、内面だけに限らず、側板の両側面、又は、全面に施してもよい。
【図面の簡単な説明】
【００３６】
【図１】実施形態に係る捕虫器の概略正面図。
【図２】捕虫材の概略斜視図。
【図３】（Ａ）は、捕虫シートの正面図、（Ｂ）は、（Ａ）のＡ矢視断面図。
【図４】（Ａ）は、捕虫シートを展開した状態の断面図、（Ｂ）は、（Ａ）の平面図。
【図５】図１のＢ矢視部分拡大断面図。
【図６】（Ａ）及び（Ｂ）は、捕虫材の載置状態を示す断面図。
【図７】（Ａ）及び（Ｂ）は、変形例に係る捕虫材の正面図。
【図８】（Ａ）及び（Ｂ）は、従来の不具合の説明図。
【符号の説明】
【００３７】
１０  捕虫器
１１  誘引手段
１２  捕虫シート
１２Ａ  基材シート
１２Ｂ  接着剤層
１２Ｃ  剥離シート
１３  捕虫材
２５  筒状体
２６  側板
２７  固定手段
２９  嵌合部
３０  押さえ部
【図１】
0005002476.tif 000002
【図２】
0005002476.tif 000003
【図３】
0005002476.tif 000004
【図４】
0005002476.tif 000005
【図５】
0005002476.tif 000006
【図６】
0005002476.tif 000007
【図７】
0005002476.tif 000008
【図８】
0005002476.tif 000009